(57)【要約】【課題】  歌唱傾向が異なる歌唱者が歌唱対戦を行う場合に、歌まね歌唱者にとって不利とならず、聴者の感覚とも一致した歌唱採点値を算出する。【解決手段】  歌まね歌唱判定手段５０により、各利用者の歌唱採点値のいずれか一つが所定値以上であり、かつ、歌唱対戦を行う利用者の歌唱採点値の差が所定値以上であると判定された場合に、歌唱対戦楽曲について、歌唱採点値の低い利用者の歌唱採点履歴として記憶されている歌唱技法特徴と、楽曲別原歌唱技法特徴記憶手段６３に記憶されている原歌唱技法特徴とを比較して歌唱技法特徴近似値を算出し、歌唱採点値の低い利用者の歌唱技法特徴近似値が所定値以上である場合に、歌まね挑戦であると判定する。【選択図】図１
2015161888.tif 000002
【特許請求の範囲】
【請求項１】
一組の利用者が同一のカラオケ楽曲を歌唱して、それぞれの歌唱採点値を競う歌唱対戦カラオケシステムにおいて、
各カラオケ楽曲の原曲アーティストの原歌唱技法特徴を、各カラオケ楽曲の楽曲ＩＤと紐付けし、楽曲別原歌唱技法特徴データとして記憶する楽曲別原歌唱技法特徴記憶手段と、
各利用者が歌唱したカラオケ楽曲の楽曲ＩＤと、歌唱技法特徴と、当該カラオケ楽曲の歌唱採点値とを紐付けし、利用者別歌唱履歴データとして記憶する利用者別歌唱履歴記憶手段と、
一組の利用者が任意のカラオケ楽曲について歌唱採点値を競うことを指定して選曲予約を行うと、歌唱採点値を競う任意のカラオケ楽曲の楽曲ＩＤと、各利用者の利用者ＩＤとを紐付けするとともに、歌唱対戦であることを示す情報を設定し、歌唱対戦楽曲データを生成する歌唱対戦楽曲設定手段と、
前記歌唱対戦であることを示す情報が設定されたカラオケ楽曲の演奏に際して、当該カラオケ楽曲の楽曲ＩＤ及び利用者ＩＤに基づいて利用者別歌唱履歴データを参照し、当該楽曲ＩＤに紐付けられた各利用者の歌唱採点値のいずれか一つが所定値以上か否か、各利用者の歌唱採点値の差が所定値以上か否かを判定する歌唱採点値比較判定手段と、
前記各利用者の歌唱採点値のいずれか一つが所定値以上であり、かつ、歌唱対戦を行う利用者の歌唱採点値の差が所定値以上であると判定された場合に、前記歌唱対戦楽曲について、歌唱採点値の低い利用者の歌唱採点履歴として記憶されている歌唱技法特徴と、前記楽曲別原歌唱技法特徴記憶手段に記憶されている原歌唱技法特徴とを比較して歌唱技法特徴近似値を算出し、歌唱採点値の低い利用者の歌唱技法特徴近似値が所定値以上である場合に、歌まね挑戦であると判定する歌まね歌唱判定手段と、
を備えたことを特徴とする歌唱対戦カラオケシステム。
【請求項２】
前記歌まね歌唱判定手段により、歌まね挑戦であると判定された場合に、特定された歌まね歌唱者の表示を制御する歌まね歌唱者表示制御手段を備えた、
ことを特徴とする請求項１に記載の歌唱対戦カラオケシステム。
【請求項３】
前記歌まね歌唱判定手段により、歌まね挑戦であると判定された場合に、歌唱採点で用いる音高の採点基準値に関して、通常の採点基準値と比較してピッチ幅を広げた歌まね採点基準値を用いて、各利用者の歌唱採点を行う、
ことを特徴とする請求項１又は２に記載の歌唱対戦カラオケシステム。
【請求項４】
前記歌まね採点基準値において、通常の採点基準値と比較して広げるピッチ幅は、歌唱対戦を行う利用者の歌唱採点値の差に応じて変化させる、
ことを特徴とする請求項３に記載の歌唱対戦カラオケシステム。
【発明の詳細な説明】
【技術分野】
【０００１】
本発明は、一組の利用者が同一のカラオケ楽曲を歌唱して、それぞれの歌唱採点値を競う歌唱対戦カラオケシステムにおいて、利用者が歌まね歌唱を行っている場合に、当該歌まね歌唱を評価した歌唱採点値を算出するようにした歌唱対戦カラオケシステムに関するものである。
【背景技術】
【０００２】
現在普及しているカラオケシステムでは、利用者の歌唱の巧拙を採点する歌唱採点機能を有しており、音程、テンポ、音量等だけではなく、ビブラート、シャクリ、フォール等、種々の歌唱技法を採点することができるようになっている。また、一組の利用者が同一のカラオケ楽曲を歌唱して、それぞれの歌唱採点値を競う歌唱対戦を行うカラオケシステムがある（特許文献１、特許文献２参照）。さらに、一般的な歌唱採点ではなく、原アーティストの歌唱技法をまねた歌唱について、原アーティストの歌唱技法との近似度を採点するカラオケシステムもある（特許文献３参照。）。
【０００３】
特許文献１に開示された技術は、歌唱対戦ゲームを実現するための通信カラオケシステムに関するものであり、通信カラオケ装置による演奏記録を記憶する演奏記録データベースと、歌唱対戦ゲームに参加を表明する通信カラオケ装置と演奏記録データベースに記憶された演奏記録とを選択源として歌唱対戦ゲームの対戦者を組み合わせる組合手段、各通信カラオケ装置による演奏及び演奏記録データベースから読み出された演奏記録に基づいて組合手段により組み合わされた対戦者を順位付する順位付手段とを備えている。そして、演奏記録データベースに記憶された演奏記録をあたかも通信カラオケ装置による演奏者と同等の対戦者として随意に選択できるようにして、歌唱対戦ゲームに参加を表明する通信カラオケ装置の数が不十分な場合であっても、好適な歌唱対戦ゲームを実行できるとしている。
【０００４】
特許文献２に開示された技術は、原アーティストの歌唱あるいはそれに近い歌唱に対して高得点を与えることが可能なカラオケ装置に関するものであり、楽曲データに基づき演奏曲を演奏する演奏手段と、利用者の音声を入力する音声入力手段と、利用者の歌唱に基づいて生成される歌唱データである歌声データを取得する歌声データ取得手段と、演奏曲の歌手の歌唱に基づいて生成された歌手の歌唱データと、歌声データ取得手段により取得された利用者の歌声データとを比較する歌声データ比較手段とを備えている。
【０００５】
特許文献３に開示された技術は、歌まね歌唱採点を行うことが可能なカラオケシステムに関するもので、カラオケ楽曲毎に歌唱基準リファレンスデータを記憶する歌唱基準リファレンスデータ記憶手段と、アーティスト毎にその歌唱技法特徴、発現位置及び発現区間を含んだ歌まねリファレンスデータを記憶する歌まねリファレンスデータ記憶手段と、利用者が任意のカラオケ楽曲を歌唱した際に、マイクロホンより入力された当該利用者の音声信号から抽出した歌唱評価データと、当該カラオケ楽曲の歌唱基準リファレンスデータと、当該カラオケ楽曲の原アーティストに対応した歌まねリファレンスデータとに基づいて、歌まねの巧拙を採点する歌唱採点手段とを備えている。
【先行技術文献】
【特許文献】
【０００６】
【特許文献１】特開２００７−９３６８公報
【特許文献２】特開平１０−１４９１８４号公報
【特許文献３】特開２０１３−２３１８８１号公報
【発明の概要】
【発明が解決しようとする課題】
【０００７】
上述したように、カラオケ楽曲を歌唱する際に、当該カラオケ楽曲の原アーティスト（持ち歌歌手）の歌唱技法を取り入れて歌唱を行う場合がある（歌まね歌唱）。この歌まね歌唱が上手であると、聴者とってみれば、原アーティストの歌唱とよく似ているように聞こえるため、歌まね歌唱に対する評価は高くなる。しかし、原アーティストは、それぞれ特徴的な歌唱技法を用いて歌唱を行っているため、一般的な歌唱採点システムを使用して歌まね歌唱を採点した場合には、歌唱採点値が低くなり、実際に聴者が受ける印象とは異なった歌唱採点値となってしまう。このような問題に対して、特許文献２や特許文献３に開示された技術が存在する。
【０００８】
ところで、歌唱採点を行う場合の歌唱者を大別すると、高得点を出すのが得意な「高得点歌唱者」と、原アーティストの歌まねを行う「歌まね歌唱者」と、それ以外の「一般歌唱者」とが存在する。そして、歌唱対戦を行う場合に、歌唱傾向が同一の歌唱者が対戦すれば、同一の基準で採点しても、歌唱者自らにとっても、聴者にとっても納得できる歌唱採点値が算出されることになる。
【０００９】
しかし、一方の歌唱者が「高得点歌唱者」であり、他方の歌唱者が「歌まね歌唱者」である場合には、歌唱採点基準であるリファレンスデータの音高情報に対して、忠実に歌唱を行うことが得意な「高得点歌唱者」の歌唱採点値が高くなり、原アーティストの歌唱技法を取り入れることによりファレンスデータの音高情報から外れて歌唱することが多い「歌まね歌唱者」の歌唱採点値が低くなることがある。このような歌唱対戦では、歌唱者自らにとっても、聴者にとっても納得できる歌唱採点値が算出されないことになってしまう。
【００１０】
本発明は、上述した事情に鑑み提案されたもので、歌唱傾向が異なる歌唱者が歌唱対戦を行う場合に、歌まね歌唱者にとって不利とならず、聴者の感覚とも一致した歌唱採点値を算出することが可能な歌唱対戦カラオケシステムを提供することを目的とする。
【課題を解決するための手段】
【００１１】
本発明の歌唱対戦カラオケシステムは、上述した事情に鑑み提案されたもので、以下の特徴点を有している。すなわち、本発明の歌唱対戦カラオケシステムは、一組の利用者が同一のカラオケ楽曲を歌唱して、それぞれの歌唱採点値を競う歌唱対戦カラオケシステムにおいて、楽曲別原歌唱技法特徴記憶手段と、利用者別歌唱履歴記憶手段と、歌唱対戦楽曲設定手段と、歌唱採点値比較判定手段と、歌まね歌唱判定手段とを備えたことを特徴とするものである。
【００１２】
楽曲別原歌唱技法特徴記憶手段は、各カラオケ楽曲の原曲アーティストの原歌唱技法特徴を、各カラオケ楽曲の楽曲ＩＤと紐付けし、楽曲別原歌唱技法特徴データとして記憶するための手段である。利用者別歌唱履歴記憶手段は、各利用者が歌唱したカラオケ楽曲の楽曲ＩＤと、歌唱技法特徴と、当該カラオケ楽曲の歌唱採点値とを紐付けし、利用者別歌唱履歴データとして記憶するための手段である。
【００１３】
歌唱対戦楽曲設定手段は、一組の利用者が任意のカラオケ楽曲について歌唱採点値を競うことを指定して選曲予約を行うと、歌唱採点値を競う任意のカラオケ楽曲の楽曲ＩＤと、各利用者の利用者ＩＤとを紐付けするとともに、歌唱対戦であることを示す情報を設定し、歌唱対戦楽曲データを生成するための手段である。歌唱採点値比較判定手段は、歌唱対戦であることを示す情報が設定されたカラオケ楽曲の演奏に際して、当該カラオケ楽曲の楽曲ＩＤ及び利用者ＩＤに基づいて利用者別歌唱履歴データを参照し、当該楽曲ＩＤに紐付けられた各利用者の歌唱採点値のいずれか一つが所定値以上か否か、各利用者の歌唱採点値の差が所定値以上か否かを判定するための手段である。
【００１４】
歌まね歌唱判定手段は、各利用者の歌唱採点値のいずれか一つが所定値以上であり、かつ、歌唱対戦を行う利用者の歌唱採点値の差が所定値以上であると判定された場合に、歌唱対戦楽曲について、歌唱採点値の低い利用者の歌唱採点履歴として記憶されている歌唱技法特徴と、楽曲別原歌唱技法特徴記憶手段に記憶されている原歌唱技法特徴とを比較して歌唱技法特徴近似値を算出し、歌唱採点値の低い利用者の歌唱技法特徴近似値が所定値以上である場合に、歌まね挑戦であると判定するための手段である。
【００１５】
また、上述した構成に加えて、歌まね歌唱判定手段により、歌まね挑戦であると判定された場合に、特定された歌まね歌唱者の表示を制御する歌まね歌唱者表示制御手段を備えることが可能である。
【００１６】
また、上述した構成に加えて、歌まね歌唱判定手段により、歌まね挑戦であると判定された場合に、歌唱採点で用いる音高の採点基準値に関して、通常の採点基準値と比較してピッチ幅を広げた歌まね採点基準値を用いて、各利用者の歌唱採点を行うことが可能である。
【００１７】
また、上述した構成に加えて、歌まね採点基準値において、通常の採点基準値と比較して広げるピッチ幅は、歌唱対戦を行う利用者の歌唱採点値の差に応じて変化させることが可能である。
【００１８】
このような構成からなる歌唱対戦カラオケシステムでは、予め、各カラオケ楽曲の原曲アーティストの原歌唱技法特徴をデータ化しておき、楽曲別原歌唱技法特徴記憶手段の機能により、当該原歌唱技法特徴と、各カラオケ楽曲の楽曲ＩＤとを紐付けして、楽曲別原歌唱技法特徴データとして記憶する。楽曲別原歌唱技法特徴データとは、歌唱技法特徴、発現位置及び発現区間を含んだ、アーティスト毎楽曲別のリファレンスデータであり、例えば、原歌唱技法特徴データベースとして記憶する。
【００１９】
また、予め、利用者の歌唱技法特徴をカラオケ楽曲毎にデータ化しておき、利用者別歌唱履歴記憶手段の機能により、当該カラオケ楽曲の楽曲ＩＤと、歌唱技法特徴と、当該カラオケ楽曲の歌唱採点値や歌唱採点平均値とを紐付けし、利用者別歌唱履歴データとして記憶する。利用者別歌唱履歴データとは、歌唱技法特徴、発現位置及び発現区間、歌唱採点値や歌唱採点平均値を含んだ、利用者毎楽曲別の歌唱履歴データであり、例えば、利用者別歌唱履歴データデータベースとして記憶する。
【００２０】
また、利用者が選曲予約を行う際に、歌唱対戦を指示すると、歌唱対戦楽曲設定手段の機能により、歌唱対戦の対象となるカラオケ楽曲の楽曲ＩＤと、各利用者の利用者ＩＤとを紐付けするとともに、歌唱対戦であることを示す情報（例えば、歌唱対戦フラグ）を設定し、歌唱対戦楽曲データを生成する。この歌唱対戦楽曲データは、選曲予約楽曲の演奏順番を記述した予約待ち行列の一態様としてもよい。
【００２１】
対戦カラオケ楽曲の演奏に際して、歌唱採点値比較判定手段の機能により、一方の歌唱者が高得点歌唱者であり、他方の歌唱者が歌まね歌唱者の可能性があるか否かを判定する。すなわち、歌唱対戦者の歌唱採点値のいずれか一つが所定値以上であり、かつ、利用者の歌唱採点値の差が所定値以上か否かを判定する。
【００２２】
そして、歌唱対戦者の歌唱採点値のいずれか一つ以上が所定値以上であり、かつ、利用者の歌唱採点値の差が所定値以上である場合には、高得点歌唱者と歌まね歌唱者との歌唱対戦である可能性が高いため、歌まね歌唱判定手段の機能により、歌唱採点値の低い利用者の歌唱技法特徴と原歌唱技法特徴とを比較して歌唱技法特徴近似値を算出し、歌唱採点値の低い利用者の歌唱技法特徴近似値が所定値以上である場合に、歌まね挑戦であると判定する。なお、歌まね挑戦とは、歌まね歌唱者と高得点歌唱者とが歌唱採点値を競う歌唱対戦のことである。
【００２３】
歌まね挑戦である場合には、歌まね歌唱者表示制御手段の機能により、歌まね歌唱者が誰であるかを表示するための制御を行い、聴者等に歌まね挑戦であることを報知することが好ましい。
【００２４】
歌まね挑戦である場合には、歌唱採点のリファレンスデータについて、音高の採点基準値を変更する。すなわち、通常の採点基準値と比較してピッチ幅を広げた歌まね採点基準値を用いて採点を行うことが好ましい。
【００２５】
この際、通常の採点基準値と比較して広げるピッチ幅は、歌唱対戦を行う利用者の歌唱採点値の差に応じて変化させることができる。
【発明の効果】
【００２６】
本発明の歌唱対戦カラオケシステムでは、高得点歌唱者と歌まね歌唱者とが歌唱対戦を行うと判定した場合に、通常の採点基準値と比較してピッチ幅を広げた歌まね採点基準値を用いて採点を行うことにより、歌まね歌唱者にとって不利とならず、聴者の感覚とも一致した歌唱採点を行うことが可能となる。
【図面の簡単な説明】
【００２７】
【図１】本発明の実施形態に係る歌唱対戦カラオケシステムの構成を示すブロック図。
【図２】楽曲別原歌唱技法特徴データの構成を示す説明図。
【図３】利用者別歌唱履歴データの構成を示す説明図。
【図４】本発明の実施形態に係る歌唱対戦カラオケシステムにおける歌唱採点の手順を示すフローチャート。
【図５】歌唱対戦における採点結果表示の一例を示す模式図。
【発明を実施するための形態】
【００２８】
図面を参照して、本発明の歌唱対戦カラオケシステムの実施形態について説明する。図１〜図５は本発明の実施形態に係る歌唱対戦カラオケシステムに関するもので、図１は歌唱対戦カラオケシステムの構成を示すブロック図、図２は楽曲別原歌唱技法特徴データの構成を示す説明図、図３は利用者別歌唱履歴データの構成を示す説明図、図４は歌唱採点の手順を示すフローチャート、図５は歌唱対戦（歌まね挑戦）における採点結果表示の一例を示す模式図である。
【００２９】
＜歌唱対戦カラオケシステムの概要＞
本発明の実施形態に係る歌唱対戦カラオケシステム１０は、図１に示すように、一組の利用者が同一のカラオケ楽曲を歌唱して、それぞれの歌唱採点値を競う歌唱対戦カラオケシステム１０において、楽曲別原歌唱技法特徴記憶手段６３、利用者別歌唱履歴記憶手段６４、歌唱対戦楽曲設定手段４８、歌唱採点値比較判定手段４９、歌まね歌唱判定手段５０を備えている。また、これらの手段に加えて、歌まね歌唱者表示制御手段５１を備えることが可能である。
【００３０】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００３１】
＜カラオケ装置＞
本発明の実施形態に係る歌唱対戦カラオケシステム１０を適用するカラオケ装置３０は、図１に示すように、カラオケ本体３１、カラオケリモコン装置３２、スピーカ３３、マイクロホン３４、表示装置３５、ミキシングアンプ３６を備えている。また、カラオケ装置３０は、ルータ４０及び伝送路２０を介して、他のカラオケ装置３０及びセンターサーバ６０とネットワーク接続されている。
【００３２】
＜伝送路＞
伝送路２０は、専用電話回線、汎用回線（一般電話回線）、インターネット、光通信網、ＬＡＮ及びこれらを組み合わせた通信回線等を使用することができる。使用する伝送路２０は、カラオケ装置３０が設置された環境等に応じて、適宜選択することができる。
【００３３】
＜センターサーバ＞
センターサーバ６０は、会員情報の管理、カラオケ装置３０に対する楽曲データの配信等を行うとともに、楽曲別原歌唱技法特徴データベース６５ａ、利用者別歌唱履歴データベース６５ｂを格納したサーバである。センターサーバ６０は、主要な構成要素として、サーバ制御手段６１、サーバ通信制御手段６２、楽曲別原歌唱技法特徴記憶手段６３、利用者別歌唱履歴記憶手段６４、データ記憶手段６５を備えている。また、単独のセンターサーバ６０により、上述した複数の機能を実現するのではなく、各機能に特化したサーバを設け、各サーバにより各機能を実現してもよい。この際、仮想化技術により、１つのサーバに複数の機能を持たせることもできる。
【００３４】
＜サーバ制御手段／サーバ通信制御手段／データ記憶手段＞
サーバ制御手段６１は、ＣＰＵ等を備えてセンターサーバ６０を総合的に制御するための電子回路からなり、ＲＯＭ等に記憶された制御プログラムに従ってＣＰＵ等が動作することにより、センターサーバ６０の動作を制御する。サーバ通信制御手段６２は、伝送路２０を介して、カラオケ装置３０や他のサーバ等の間でデータを送受信する際に、データ通信の整合性を確保するための電子回路及びプログラムからなる。データ記憶手段６５は、会員情報データ、楽曲データ等の各種のデータと、楽曲別原歌唱技法特徴データベース６５ａ及び利用者別歌唱履歴データベース６５ｂを記憶するＨＤＤ等の大容量記憶装置からなる。
【００３５】
＜楽曲別原歌唱技法特徴記憶手段＞
楽曲別原歌唱技法特徴記憶手段６３は、各カラオケ楽曲の原曲アーティストの原歌唱技法特徴を、各カラオケ楽曲の楽曲ＩＤと紐付けし、楽曲別原歌唱技法特徴データとして記憶するためのプログラムからなる。
【００３６】
本実施形態の歌唱対戦カラオケシステム１０では、予め、各カラオケ楽曲の原曲アーティストの原歌唱技法特徴をデータ化しておき、楽曲別原歌唱技法特徴記憶手段６３の機能により、当該原歌唱技法特徴と、各カラオケ楽曲の楽曲ＩＤと紐付けして、楽曲別原歌唱技法特徴データベース６５ａとして記憶する。歌唱技法特徴とは、例えば、ビブラートタイプ（上昇型、下降型、ペナント型）、シャープ傾向（基準音高に対してシャープする傾向［弱］［強］）、フラット傾向（基準音高に対してフラットする傾向［弱］［強］）、基準伴奏に対する発音位置のずれ（伴奏に対して歌唱が遅い場合のタメ、伴奏に対して歌唱が早い場合の走り）、フォール（特定の歌唱位置及び区間で、発声の終わりの部分の音程を下げる）、シャクリ、ファルセット、コブシ、声質（ブレッシー、ハスキー、クリア等）等のことである。
【００３７】
楽曲別原歌唱技法特徴データとは、上述した歌唱技法特徴、発現位置及び発現区間を含んだ、アーティスト毎楽曲別のリファレンスデータであり、楽曲別原歌唱技法特徴データベース６５ａとして記憶される。楽曲別原歌唱技法特徴データは、図２に示すように、アーティスト毎楽曲別に、歌唱技法特徴の発現位置及び発現区間からなるデータである。
【００３８】
＜利用者別歌唱履歴記憶手段＞
利用者別歌唱履歴記憶手段６４は、各利用者が歌唱したカラオケ楽曲の楽曲ＩＤと、歌唱技法特徴と、当該カラオケ楽曲の歌唱採点値（図示しない）や歌唱採点平均値とを紐付けし、利用者別歌唱履歴データとして記憶するためのプログラムからなる。
【００３９】
本実施形態の歌唱対戦カラオケシステム１０では、予め、各カラオケ楽曲に利用者の歌唱技法特徴をデータ化しておき、利用者別歌唱履歴記憶手段６４の機能により、当該カラオケ楽曲の楽曲ＩＤと、歌唱技法特徴と、当該カラオケ楽曲の歌唱採点値とを紐付けし、利用者別歌唱履歴データとして記憶する。
【００４０】
利用者別歌唱履歴データとは、歌唱技法特徴、発現位置及び発現区間、歌唱採点値や歌唱採点平均値を含んだ、利用者毎楽曲別の歌唱履歴データであり、利用者別歌唱履歴データデータベースとして記憶する。利用者別歌唱履歴データは、図３に示すように、利用者毎楽曲別に、歌唱技法特徴の発現位置及び発現区間と、歌唱採点値の平均値からなるデータである。なお、図３に示す例では、歌唱採点平均値を利用者別歌唱履歴データの構成データとしているが、歌唱毎の歌唱採点値、歌唱採点値の標準偏差等を構成データとしてもよい。
【００４１】
＜カラオケリモコン装置＞
カラオケリモコン装置３２は、ユーザインタフェース機能を備えており、ルータ４０を介して、カラオケ本体３１のネットワーク送受信手段４１との間でデータの送受信を行うようになっている。このカラオケリモコン装置３２は、楽曲検索手段３２ａとして機能するプログラム、楽曲索引データベース３２ｂ、種々のデータを記憶するためのデータ記憶部３２ｃ、データの入出力を行うための入出力表示部３２ｄを備えている。このカラオケリモコン装置３２に付帯するスイッチ類や、入出力表示部３２ｄに表示される各種のアイコン等を操作することにより、選曲操作等が行われる。
【００４２】
＜楽曲検索手段／楽曲索引データベース＞
楽曲検索手段３２ａは、利用者の指示に基づき、楽曲索引データベース３２ｂを参照して楽曲を検索するためのプログラムからなる。楽曲索引データベース３２ｂは、カラオケ装置３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００４３】
＜マイクロホン＞
マイクロホン３４は、歌唱音声の入力を行うための装置である。マイクロホン３４から入力された歌唱音声信号は、ミキシングアンプ３６により、音楽再生制御手段５２から送出される演奏音声信号とミキシングされると共に増幅され、スピーカ３３へ出力される。また、マイクロホン３４から入力された歌唱音声信号を、Ａ／Ｄコンバータ５３によりデジタル変換して、歌唱採点手段４７における歌唱採点処理等に使用する。
【００４４】
＜表示装置＞
表示装置３５は、カラオケ楽曲に関連した背景映像や歌詞テロップ、通信デュエットの相手映像等を表示するための装置で、例えば、液晶ディスプレイ等により構成される。
【００４５】
＜カラオケ本体＞
カラオケ本体３１は、ネットワーク送受信手段４１、中央制御手段４２、ＲＯＭ４３、ＲＡＭ４４、ＨＤＤ４５、予約管理手段４６、歌唱採点手段４７、歌唱対戦楽曲設定手段４８、歌唱採点値比較判定手段４９、歌まね歌唱判定手段５０、歌まね歌唱者表示制御手段５１、音楽再生制御手段５２、Ａ／Ｄコンバータ５３、映像再生制御手段５４を備えている。なお、歌まね歌唱者表示制御手段５１は、歌まね歌唱者が誰であるかを表示する場合に必要となる手段であり、当該処理を行わない場合には、省略することができる。
【００４６】
＜中央制御手段＞
中央制御手段４２は、カラオケ本体３１を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４７】
＜ＲＯＭ／ＲＡＭ＞
ＲＯＭ４３は、カラオケ本体３１を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。
【００４８】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００４９】
＜ＨＤＤ＞
ＨＤＤ４５は、大容量記憶装置として機能するもので、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００５０】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００５１】
＜予約管理手段＞
予約管理手段４６は、任意の利用者が選曲予約する際に、当該選曲されたカラオケ楽曲の楽曲ＩＤを含む予約待ち行列４４ａを作成して管理するためのプログラムからなる。すなわち、予約管理手段４６は、利用者により楽曲検索手段３２ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。さらに、予約待ち行列４４ａを歌唱対戦楽曲データとする場合には、対戦する各利用者の利用者ＩＤと、歌唱対戦であることを示す情報（例えば、歌唱対戦フラグ）を構成データとする。
【００５２】
利用者ＩＤは、利用者ＩＤカードに記憶された利用者ＩＤをカードリーダ（図示しない）により読み取り、あるいは、カラオケリモコン装置３２の入出力表示部３２ｄを用いて入力された利用者ＩＤ及びパスワードに基づいて取得すればよい。さらに、利用者が携帯する携帯情報端末を用いて予約を行う機能を有する場合には、当該携帯情報端末の機器ＩＤに紐付けされた利用者ＩＤを取得してもよい。また、カラオケ装置３０を使用する際に、利用者に対して一時的に利用者ＩＤを付与してもよい。
【００５３】
＜音楽再生制御手段＞
音楽再生制御手段５２は、楽曲ＩＤに基づいて演奏データから抽出された演奏制御データを用いて、音源データをデジタル再生すると共にアナログ変換してミキシングアンプ３６に出力するための電子機器及びプログラムからなる。上述したように、ミキシングアンプ３６は、マイクロホン３４から入力された歌唱者の歌唱音声信号と、音楽再生制御手段５２から送出される演奏音声信号とをミキシングすると共に、アンプ機能により増幅してスピーカ３３より出力するための装置である。
【００５４】
＜映像再生制御手段＞
映像再生制御手段５４は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３５に出力するためのプログラムからなる。
【００５５】
＜歌唱採点手段＞
歌唱採点手段４７は、利用者がカラオケ楽曲の歌唱を行う際に、マイクロホン３３から入力された当該利用者の歌唱音声と、当該カラオケ楽曲の採点リファレンスデータとを所定の歌唱区間毎に比較して歌唱採点値を算出するためのプログラムからなる。
【００５６】
本実施形態の歌唱採点手段４７では、歌唱対戦における特殊な歌唱採点を行うことができる。すなわち、高得点歌唱者と歌まね歌唱者とが歌唱対戦を行う場合には、歌唱採点のリファレンスデータについて、音高の採点基準値を変更し、通常の採点基準値と比較してピッチ幅を広げた歌まね採点基準値を用いて採点を行う。例えば、通常の採点基準では、リファレンスデータを基準値として、ピッチ幅を±３５セントに設定している場合は、歌まね採点基準値では、ピッチ幅を±５０〜６０セントに広げる。さらに、歌まね採点基準値におけるピッチ幅を半音（±１００セント）まで広げてもよい。これにより、通常の音高重視の採点基準から歌唱技法を重視した歌まね採点基準として採点を行うことができる。
【００５７】
また、通常の採点基準値と比較して広げるピッチ幅は、歌唱対戦を行う利用者の歌唱採点値の差に応じて変化させてもよい。例えば、歌唱採点値の差に比例してピッチ幅を広げることにより、さらに一層、歌まね歌唱者の歌唱採点値が聴者の感覚と一致したものとなる。
【００５８】
＜歌唱対戦楽曲設定手段＞
歌唱対戦楽曲設定手段４８は、一組の利用者が任意のカラオケ楽曲について歌唱採点値を競うことを指定して選曲予約を行うと、歌唱採点値を競う任意のカラオケ楽曲の楽曲ＩＤと、各利用者の利用者ＩＤとを紐付けするとともに、歌唱対戦であることを示す情報を設定し、歌唱対戦楽曲データを生成するためのプログラムからなる。
【００５９】
すなわち、利用者が選曲予約を行う際に、歌唱対戦を指示すると、歌唱対戦楽曲設定手段４８の機能により、歌唱対戦の対象となるカラオケ楽曲の楽曲ＩＤと、各利用者の利用者ＩＤとを紐付けするとともに、歌唱対戦であることを示す情報を設定し、歌唱対戦楽曲データを生成する。この歌唱対戦楽曲データは、選曲予約楽曲の演奏順番データを記憶する予約待ち行列４４ａの一態様とすることができる。
【００６０】
＜歌唱採点値比較判定手段＞
歌唱採点値比較判定手段４９は、歌唱対戦であることを示す情報が設定されたカラオケ楽曲の演奏に際して、当該カラオケ楽曲の楽曲ＩＤ及び利用者ＩＤに基づいて利用者別歌唱履歴データを参照し、当該楽曲ＩＤに紐付けられた各利用者の歌唱採点値のいずれか一つが所定値以上か否か、各利用者の歌唱採点値の差が所定値以上か否かを判定するためのプログラムからなる。
【００６１】
すなわち、対戦カラオケ楽曲の演奏に際して、歌唱採点値比較判定手段４９の機能により、各利用者の歌唱採点値のいずれか一つが所定値以上であり、かつ、利用者の歌唱採点値の差が所定値以上か否かを判定することにより、一方の歌唱者が高得点歌唱者であり、他方の歌唱者が歌まね歌唱者の可能性があるか否かを判定する。なお、利用者の歌唱採点値の差を比較する場合には、正確な歌唱採点値の差を算出するために、各利用者の歌唱採点値の平均値を用いることが好ましい。
【００６２】
＜歌まね歌唱判定手段＞
歌まね歌唱判定手段５０は、各利用者の歌唱採点値のいずれか一つが所定値以上であり、かつ、歌唱対戦を行う利用者の歌唱採点値の差が所定値以上であると判定された場合に、歌唱対戦楽曲について、歌唱採点値の低い利用者の歌唱採点履歴として記憶されている歌唱技法特徴と、楽曲別原歌唱技法特徴記憶手段６３に記憶されている原歌唱技法特徴とを比較して歌唱技法特徴近似値を算出し、歌唱採点値の低い利用者の歌唱技法特徴近似値が所定値以上である場合に、歌まね歌唱者が高得点歌唱者に挑戦する歌まね挑戦であると判定するためのプログラムからなる。
【００６３】
すなわち、歌唱対戦者の歌唱採点値のいずれか一つ以上が所定値以上であり、かつ、利用者の歌唱採点値の差が所定値以上である場合には、高得点歌唱者と歌まね歌唱者との歌唱対戦である可能性が高い。これは、一般的に、歌まね歌唱者の歌唱採点値が高得点歌唱者の歌唱採点値よりも低くなるためである。そこで、歌まね歌唱判定手段５０の機能により、歌唱採点値の低い利用者（歌まね歌唱者の可能性がある利用者）の歌唱技法特徴と原歌唱技法特徴とを比較して歌唱技法特徴近似値を算出し、歌唱採点値の低い利用者の歌唱技法特徴近似値が所定値以上である場合には、高得点歌唱者と、歌まね歌唱者との歌唱対戦（歌まね挑戦）であると判定する。歌唱技法特徴近似値の算出方法は、歌唱採点値の算出方法に準じて、各利用者の歌唱技法特徴と原歌唱技法特徴とを比較し、その近似度を数値化すればよい。
【００６４】
なお、歌まね歌唱を所定回数（例えば、５回）以上行っている場合に、歌まね歌唱者であると判定してもよい。これにより、偶然に歌まね歌唱と同様の歌唱を行った一般歌唱者と、自己の意志に基づいて歌まね歌唱を行った歌まね歌唱者とを区別することができる。
【００６５】
＜歌まね歌唱者表示制御手段＞
歌まね歌唱判定手段５０により、歌まね挑戦であると判定された場合に、特定された歌まね歌唱者の表示を制御するための電子機器及びプログラムからなる。すなわち、図５に示すように、歌まね挑戦である場合には、歌まね歌唱者表示制御手段５１の機能により、歌まね歌唱者が誰であるかを表示するための制御を行って、表示装置３５の表示画面に歌まね歌唱や名を表示する等、聴者等に歌まね挑戦であることを報知する。これにより、歌唱対戦を行う利用者及び聴者が、高得点歌唱者と、歌まね歌唱者との歌唱対戦であることを認識することができるので、通常とは異なった歌唱採点が行われることが解る。
【００６６】
＜歌唱採点の手順＞
図４を用いて歌唱採点の手順を説明する。本実施形態の歌唱対戦カラオケシステム１０で歌唱採点を行うには、まず、歌唱対戦であるか否か（歌唱対戦情報（歌唱対戦フラグ）が付加された選曲予約であるか否か）を判断し（Ｓ１）、歌唱対戦である場合には、当該楽曲ＩＤに紐付けられた各利用者の歌唱採点値のいずれか一つが所定値（例えば、８０点）以上か否かを判断し（Ｓ２）、さらに、各利用者の歌唱採点値（歌唱採点平均値）の差が所定値（例えば、１５点）以上か否かを判断する（Ｓ３）。
【００６７】
そして、各利用者の歌唱採点値のいずれか一つが所定値（全国平均値等）以上であり、かつ、歌唱対戦を行う利用者の歌唱採点値（歌唱採点平均値等）の差が所定値以上であると判断された場合に、歌唱対戦楽曲について、歌唱採点値の低い利用者の歌唱採点履歴として記憶されている歌唱技法特徴と、楽曲別原歌唱技法特徴記憶手段６３に記憶されている原歌唱技法特徴とを比較して歌唱技法特徴近似値を算出する（Ｓ４）。続いて、歌唱採点値の低い利用者の歌唱技法特徴近似値が所定値（例えば、６０点）以上であるか否かを判断し（Ｓ５）、歌唱採点値の低い利用者の歌唱技法特徴近似値が所定値以上である場合に、歌まね挑戦であると判断する（Ｓ６）。
【００６８】
続いて、歌まね挑戦であると判断されたされた場合に、特定された歌まね歌唱者の表示を行い（Ｓ７）、聴者に歌まね歌唱者が誰であるかを認識させる（図５参照）。なお、当該ステップ（Ｓ７）は省略することができる。続いて、歌まね挑戦の歌唱採点において、歌唱採点のリファレンスデータについて、音高の採点基準値となるピッチ幅を広げて（例えば、標準のピッチ幅±５０セント）、歌唱採点を行う（Ｓ８）。
【００６９】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００７０】
１０  歌唱対戦カラオケシステム
２０  伝送路
３０  カラオケ装置
３１  カラオケ本体
３２  カラオケリモコン装置
３２ａ  楽曲検索手段
３２ｂ  楽曲索引データベース
３２ｃ  データ記憶部
３３ｄ  入出力表示部
３３  スピーカ
３４  マイクロホン
３５  表示装置
３６  ミキシングアンプ
４０  ルータ
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４６  予約管理手段
４７  歌唱採点手段
４８  歌唱対戦楽曲設定手段
４９  歌唱採点値比較判定手段
５０  歌まね歌唱判定手段
５１  歌まね歌唱者表示制御手段
５２  音楽再生制御手段
５３  Ａ／Ｄコンバータ
５４  映像再生制御手段
６０  センターサーバ
６１  サーバ制御手段
６２  サーバ通信制御手段
６３  楽曲別原歌唱技法特徴記憶手段
６４  利用者別歌唱履歴記憶手段
６５  データ記憶手段
６５ａ  楽曲別原歌唱技法特徴データベース
６５ｂ  利用者別歌唱履歴データベース
【図１】
2015161888.tif 000003
【図２】
2015161888.tif 000004
【図３】
2015161888.tif 000005
【図４】
2015161888.tif 000006
【図５】
2015161888.tif 000007